(57)【要約】体温及び、又はその他の人間及び動物の生理機能を制御するための制御装置（１）は、センサー（７）と、最低及び最高体温及びその他の人間及び動物の生理機能のためのレギュレーター（３）と、設定値を超えると始動するアラーム（２）と、電子回路（４）と、装置に所要の作動エネルギーを供給するバッテリー（８）とから成る。この装置には、音響アラーム、ディスプレー、及び生理機能の測定された値を知らせるオーディオシステムを設けることができる。
2004527307.tif 000002
【特許請求の範囲】
【請求項１】
体温及び、又はその他の人間及び動物の生理機能を制御するための制御装置であって、
センサーと、最低温度及び最高温度及びその他の人間及び動物の生理機能のためのレギュレーターと、設定値を超えたとき始動するアラームと、電子回路と、該装置に所要のエネルギーを供給するバッテリーとから成り、前記センサーと、前記各レギュレーターと、前記アラームと、前記電子回路と、前記バッテリーとが人間又は動物の身体に貼着するようになされた粘着プラスター内にひとまとめに収容されており、体温及び、又はその他の制御対象の生理機能を表示することを特徴とする制御装置。
【請求項２】
前記各レギュレーターを整調し、前記アラームが鳴り止んだときに得られる値を読み取ることによって体温の範囲及び、又はその他の制御対象の生理機能の値を測定することを特徴とする請求項１記載の制御装置。
【請求項３】
体温及び、又はその他の制御対象の生理機能の即座の読取りを可能にするディスプレーを備えていることを特徴とする請求項１記載の制御装置。
【請求項４】
キーを押すことによって体温及び、又はその他の生理機能を繰り返し音声で知らせるオーディオシステムを備えていることを特徴とする請求項１記載の制御装置。
【請求項５】
該装置は、低電圧に変圧された電力で作動され、前記センサーは、前記レギュレーター及びアラームを収容したユニット制御器に接続されていることを特徴とする請求項１記載の制御装置。
【請求項６】
前記接続が導線によってなされていることを特徴とする請求項５記載の制御装置。
【請求項７】
データをトランシーバーシステムを介して無線で送信することができることを特徴とする請求項５記載の制御装置。
【請求項８】
前記検出されたレベルを定期的に制御し、記録することができることを特徴とする請求項５記載の制御装置。
【発明の詳細な説明】
【技術分野】
【０００１】
本発明は、体温及び、又はその他の心拍数、収縮期血圧（最高動脈血圧）及び拡張期血圧（最低動脈血圧）等の人間及び動物の生理機能を制御するための制御装置に関する。
【０００２】
この制御装置は、センサーと、最低温度及び最高温度及びその他の生理機能レベルのレギュレーターと、所定の閾値を超えると始動するアラームと、電子回路と、装置が作動するための所要エネルギーを供給するバッテリーとから成る。
【０００３】
この装置には、又、音響アラーム、ディスプレー、及び各生理機能の検出された値を知らせるオーディオシステムを装備することもできる。
【背景技術】
【０００４】
現在市販されているこの種の制御装置は、大抵は、大きくて扱いにくく、楽に持ち運んだり、着用することができない。さりとて、比較的小型の装置は、性能に制限がある。
【０００５】
特許文献１には、体温をモニターする制御装置が開示されている。この制御装置は、子供又は成人の身体に当てがうようになされたセンサーから成り、センサーは、センサーとは別体の制御ユニットに導線で接続されている。制御ユニットは、発光ダイオード（ＬＥＤ）、温度レギュレーター及び音声アラームを備えている。体温が所定のピークを超えるか、あるいは、所定の最低温度より下がると、発光ダイオードが点滅し、音声アラームが鳴る。
【０００６】
上記特許文献１に開示された制御装置の第１の欠点は、センサーが制御ユニットと分離していることとと、それらの２つの機器（センサーと制御ユニット）がワイヤで接続されていることである。ワイヤは、眠っている時の子供にとって危険であるばかりでなく、装置を装着している人にとって横になったり、立ったりするとき煩わしい。
【０００７】
更に、この制御装置は、体温の実際の値を表示することができず、体温がピーク温度を超えたかどうか、又は、体温が最低限度より低下したかどうかを知らせるだけである。
【０００８】
又、この制御装置は、人間や動物の動脈血圧や心拍数等の他の生理機能をモニターすることができない。
【特許文献１】
国際特許出願公報ＷＯ  ９００９５７０
【発明の開示】
【発明が解決しようとする課題】
【０００９】
本発明の課題は、従来技術の上記の欠点を解消することであり、そのために、体温及び、又はその他の人間及び動物の生理機能を制御するための制御装置を提供することである。
【課題を解決するための手段】
【００１０】
この目的を達成するために、本発明は、センサーと、最低及び最高体温及びその他の人間及び動物の生理機能レベルのためのレギュレーターと、所定の閾値を超えると始動するアラームと、電子回路と、装置に所要の作動エネルギーを供給するバッテリーとから成り、センサーと、各レギュレーターと、アラームと、電子回路と、バッテリーとが人間又は動物の身体に貼着するようになされた粘着プラスター内にひとまとめに収容されており、体温及び、又はその他の制御対象の生理機能を表示する制御装置を提供する。
【００１１】
本発明の他の特徴は、レギュレーターの値を変更し、アラームが鳴り止んだときに得られた値を読み取ることによって体温及び、又はその他の制御対象の生理機能の値を測定することである。
【００１２】
本発明の装置の更に他の特徴は、体温及び、又はその他の制御対象の生理機能のレベル読取値を即座に表示するディスプレーを備えことができることである。
【００１３】
本発明の装置の更に他の特徴は、ボタンを押すことによって体温及び、又はその他の生理機能の記録されたレベルを音声で知らせるオーディオシステムを装備することができることである。
【００１４】
本発明の装置の更に他の特徴は、低電圧に変圧された電流によって作動され、センサーに接続するとができることである。
【００１５】
本発明の装置の更に他の特徴は、センサーへの接続を導線によって行うことができることである。
【００１６】
本発明の装置の更に他の特徴は、データをトランシーバーシステムを介して無線で送信することができることである。
【００１７】
本発明の装置の更に他の特徴は、測定されたレベルを所定の時点でマークし、記録することができることである。
【００１８】
本発明のその他の目的、特徴及び利点は、以下の好ましい実施形態の説明及び添付図から当業者には明らかになろう。
【発明を実施するための最良の形態】
【００１９】
本発明の好ましい実施形態をを添付図を参照して説明する。保護ボックス５内に収容された集積回路４を有する、特に子供に適する実施形態の本発明の制御装置１（図３参照）は、体温を昼夜監視し、２つのレギュレーター３を介してプログラムすることができる設定最低値と最高値を超えたとき、音響信号器（振鈴器）２を作動させる。
【００２０】
これらのレギュレーター３は、設定値を超えることもある実際の体温を測定することをも可能にする。体温の読取りは、ディスプレーなしでも行うことができる。体温の読取値を得るには、装置が鳴り始めた後２、３拍待てば十分であり、温度レギュレーター３の音響信号が鳴り止んだ時点で温度レギュレーター３が動かされると、そのときの身体の実際の体温を読み取ることができる。
【００２１】
従って、本発明の装置は、体温アラームであるとともに、体温読取器でもあり、耐衝撃性で、耐破壊性とする新規な構成のシステムである。又、この装置は、従来のものより小型に構成することができ、単純な丸いプラスター６内で配線することができる。
この装置は、人間及び動物を常時監視するために装着することができる。
【００２２】
本発明の装置１の作動は、以下の通りである（図１参照）。
レギュレーター３を介して最低温度と最高温度を所要値に整調するだけで十分である。最低温度は、乳児突然死症候群や体温低下の場合のアラームとして機能し、最高温度は、高熱の場合にアラームを作動させる。
【００２３】
装置１は、まるでプラスター（膏薬）であるかのように粘着材６を介して身体の適当な部位に装着することができ、通気及び汗発散穴１３を備えており、熱センサー７は、１０／１５秒ごとに温度を制御し、振鈴器（リンガー）２が設定値を超えると、アラームを鳴動させ、なおかつ、温度の制御を継続するので、アラームを停止させるには、レギュレーター３を実際の体温に対応する脱接続点にまで動かして振鈴器２を脱接続させなければならない。
【００２４】
電気消費量が非常に少ないため、バッテリー８の寿命は約３年である。温度を眼で読み取ることができるようにディスプレー９（図４及び５参照）を装備することもできる。
【００２５】
振鈴器２は、圧電式であってもよく、その場合、振鈴器は裏面に温度センサーを装着することができる金属製の測定基板ともなる。あるいは、より強い音を発生させるために、温度センサーとして金属製の基板を用い、携帯電話の振鈴器のような通常の振鈴器を回路４の上に載せてもよい。
【００２６】
小型化を図るために、表面処理した上で、回路全体とすべての部品を圧電アラーム基板又は金属製基板の裏面に鋳込み、印刷することができる。
【００２７】
この装置には、外部電気プラグ１０と、導線によって、又は、トランシーバーを介して接続された独立センサー１１を設けることもできる（図５）。
【００２８】
更に、この装置には、２４時間中の最低温度と最高温度を記録するメモリを設けることができ、又、日中の体温を定期的に記録するようにプログラムされたメモリを設けることもできる。
【００２９】
又、キーを押すことによって温度を繰り返し音声で知らせる音声スピーカー１２を付加することもできる。この特徴は、目の不自由な人にとって特に有利である。
【００３０】
本発明による装置の精度は、非常に高い。
【００３１】
以上の説明から分かるように、本発明は、多くの利点を有し、現在市販されているシステムによっては解決することができない課題を克服することができる。
【図面の簡単な説明】
【００３２】
【図１】図１は、本発明の装置の概略説明図である。
【図２】図２は、本発明の装置の断面図である。
【図３】図３は、本発明の装置の１実施形態の正面図、背面図及び側面図である。
【図４】図４は、ディスプレーを装備した本発明の装置の正面図、背面図及び側面図である。
【図５】図５は、電気グリッドを装備した本発明の装置の正面図、背面図及び側面図である。
【符号の説明】
【００３３】
１  制御装置、装置
２  振鈴器、音響信号器、振鈴アラーム、音響アラーム、音声アラーム
３  レギュレーター
４  回路、集積回路
５  保護ボックス
６  粘着プラスター、粘着材
７  熱センサー、センサー
８  バッテリー
９  ディスプレー
１０  外部電気プラグ
１１  独立センサー
１２  音声スピーカー
１３  通気及び汗発散穴
【国際公開パンフレット】
2004527307.tif 000003
2004527307.tif 000004
2004527307.tif 000005
2004527307.tif 000006
2004527307.tif 000007
2004527307.tif 000008
2004527307.tif 000009
2004527307.tif 000010
2004527307.tif 000011
2004527307.tif 000012
2004527307.tif 000013
2004527307.tif 000014
【手続補正書】
【提出日】平成15年2月1日(2003.2.1)
【手続補正１】
【補正対象書類名】特許請求の範囲
【補正対象項目名】全文
【補正方法】変更
【補正の内容】
【特許請求の範囲】
【請求項１】
体温及び、又はその他の人間及び動物の生理機能を制御するための制御装置であって、
センサーと、設定値を超えると始動する振鈴アラームと、電子回路と、該装置に所要のエネルギーを供給するバッテリーとから成り、最低温度及び最高温度及びその他の人間及び動物の生理機能のレギュレーターが組み込まれており、前記センサー、電子回路、バッテリー及び各レギュレーターは、人間又は動物の身体に貼着するようになされた粘着プラスター内にひとまとめに収容されており、前記最低温度より低下するか、又は、前記最高温度を超えたとき、キーを押すことによって体温又は他の生理機能を音声で繰り返し知らせるオーディオシステムを含むことを特徴とする制御装置。
【請求項２】
検出されたレベルを定期的に制御し、記録することができることを特徴とする請求項１記載の制御装置。
【請求項３】
前記各レギュレーターを整調し、前記アラームが鳴り止んだときにマークしたレベルを読み取ることによって体温の範囲及び、又はその他の生理機能を測定することを特徴とする請求項１記載の制御装置。
【請求項４】
体温及び、又はその他の制御対象の生理機能の即座の読取りを可能にするディスプレーを備えていることを特徴とする請求項１記載の制御装置。
【請求項５】
前記熱センサーは、１０〜１５秒ごとに温度を制御することを特徴とする請求項１記載の制御装置。
【国際調査報告】
2004527307.tif 000015
2004527307.tif 000016
2004527307.tif 000017